Podtech/llm-jp-corpus-v4-ja_patent huggingface dataset:
(57)【要約】【課題】従来は、オペレータが、TV カメラ背面にある操作パネルにある操作スイッチやボリュームを使用して、TV カメラの調整を行うときに、暗い場所（例えば、スタジオ内、等）などでは、目的とは異なるスイッチやボリューム操作したりするなど、誤操作してしまう可能性があった。このような問題を解決するために、暗い場所でも TV カメラの誤操作を防ぐことができる照明手段を備えた TV カメラを提供する。【解決手段】TV カメラ背面の操作パネル部上部に LED を実装する。これにより、背面パネル全体を照射し、暗がりでの操作性向上する。更に、LED の照射に、指向性を持たせるために、反射板を取り付けるようにしている。【選択図】図１
2008096808.tif 000002
【特許請求の範囲】
【請求項１】
テレビジョンカメラにおいて、背面部に発光ダイオードと該発光ダイオードから出力される光の指向方向を変える反射手段とを備えたことを特徴とするテレビジョンカメラ。
【発明の詳細な説明】
【技術分野】
【０００１】
本発明は、テレビジョンカメラに関わり、特に操作パネルの照明に関するものである。
【背景技術】
【０００２】
従来のテレビジョンカメラ（以降、TV カメラと称する）の照明は、LED（Light Emitting Diode：発光ダイオード）によるものが多く、しかも、TV カメラの背面下側のコネクタ配置されている周辺に実装され、主に、下方面の照明で、台本照明の補助的役割で運用されていた。また、スチールカメラの背面の操作部に照明を設けたものがある（特許文献１参照。）。
【０００３】
【特許文献１】特開２００１−３３０８７９号公報
【発明の開示】
【発明が解決しようとする課題】
【０００４】
上述の従来技術では、オペレータが、TV カメラ背面にある操作パネル（以降、背面パネルと称する）にある操作スイッチやボリュームを使用して、TV カメラの調整を行うときに、暗い場所（例えば、スタジオ内、等）などでは、目的とは異なるスイッチやボリューム操作したりするなど、誤操作してしまう可能性があった。
本発明の目的は、上記のような問題を解決するために、暗い場所でも TV カメラの誤操作を防ぐことができる照明手段を備えた TV カメラを提供することにある。
【課題を解決するための手段】
【０００５】
上記目的を達成するために、本発明の TV カメラは、TV カメラ背面の操作パネル部上部に LED を実装する。これにより、背面パネル全体を照射し、暗がりでの操作性向上することが可能となった。
即ち、本発明の TV カメラは、背面部に発光ダイオードと該発光ダイオードから出力される光の指向方向を変える反射手段とを備えたものである。
【発明の効果】
【０００６】
本発明によれば、手元が暗く、背面部の操作スイッチ、ボリューム等を操作しようとした時、LED を点灯して照明することにより、背面操作部を明るくすることが可能となり、誤操作の危険性が減少する。
【発明を実施するための最良の形態】
【０００７】
図１は、本発明の一実施例の TV カメラを説明するための図で、TV カメラを横から見たものである。左側が撮像面で、右側が背面である。右側の背面パネルの部分については、図２で説明するが、断面を示している。
【０００８】
更に、本発明の一実施例を、図２を参照して説明する。
図２は、本発明の構成を説明するための図である。図２は、TV カメラの背面を部分的に断面図で示し必要箇所以外は省略している。1 は背面フレーム、2 は背面パネル、3 は背面 PCB（Print Circuit Board ）、4 は LED 、5 はスイッチ、6 はボリューム、7 は反射板、8 は反射板 7 のミラー面、9 は LED である。
【０００９】
図２において、背面 PCB 3 に実装された LED を含む操作系部品は、背面パネル 2 と背面 PCB をネジで固定している。これにより、背面パネル 2 より、LED 4 、スイッチ 5 、及びボリューム 6 が突出る。更に、LED 4 より照射された光を背面パネル 2 全体に照射するために、反射板 7 を設ける。この反射板 7 にミラー面 8 を設け、LED 4 の指向方向を変えて背面パネル 2 全体に光が照射される。
このように、図２では、LED を照射するだけではなく、指向性を持たせるために、反射板を取り付けている。
【００１０】
図３は、図２の LED 4 と反射板 7 及びそのミラー面 8 の部分の拡大図である。LED 4 から出力された光は、矢印 10 に示す方向に出力され、反射板 7 のミラー面 8 に入射し、矢印 11 に示す方向に変えられて、背面パネル 2 を照明する。
【００１１】
なお、この LED 4 は、例えば、暗がりの撮影が絶対条件で明るくできないときの場合には、背面パネル 2 に取り付けたスイッチ 5 をOFF にすることで発光しないようにする（消灯させる）ことができる。また、必要なときには、スイッチ 5 を ON にすることで発光させる（点灯させる）ことができる。
【００１２】
また、LED 9 は、TV カメラ背面下側のコネクタ配置されている周辺に下方面を照明するためのもので、LED 9 を点灯させることで、台本照明の補助的役割で運用する。この場合も、上述のように、スイッチ（図示しない）を ON することで LED 9 を発光し、OFF することで発光しないようにすることができる。
【００１３】
なお、スイッチ 5 が無くても良く、LED 9 及び関連する図示しないスイッチも無くても良い。
【００１４】
また、LED は複数あっても良く、対応する反射板も複数あっても良い。更に、複数の LED に対して、１つの反射板でも良く、１つの LED に対して、別の方向に光の指向方向を変えるために複数の反射板があっても良い。また、LED の発光色が何色でも、それぞれ異なった色であっても良い。
【００１５】
更に、図２の反射板は、ミラー面が平面であるが、凹面や凸面等の曲面を持たせても良く、山型の少なくとも１つの稜線を持たせた面でも良い。
また更に、入射された光が拡散されるように面加工されていても良い。
【図面の簡単な説明】
【００１６】
【図１】本発明の一実施例の TV カメラを説明するための図。
【図２】本発明の一実施例の構成を説明するための図。
【図３】図２の部分拡大図。
【符号の説明】
【００１７】
1：背面フレーム、  2：背面パネル、  3：背面PCB、  4，9：LED、  5：スイッチ、  6：ボリューム、  7：反射板、  8：ミラー面、  10，11：矢印。
【図１】
2008096808.tif 000003
【図２】
2008096808.tif 000004
【図３】
2008096808.tif 000005
(57)【要約】【課題】  被検出物に対してケーシングを一定の角度で押し当てることのできる振動計を提供する。【解決手段】  振動計のケーシングは本体１と、本体１の後端に固定したキャップ３とから形成する。コイルスプリング１３で検出針４を付勢して検出針４の被検出物に押し当てる先端を本体１から突出せしめ、この検出針４の先端を被検出物に押し当てて本体１の開口端１４まで押し込むことによりコイルスプリング１３を一定量圧縮せしめる。検出針４を伝わる被検出物の機械的振動を電気的信号に変換する圧電素子８から成る感振素子５を検出針４の後端に固定する。キャップ３に確認光を発する手段１５を取り付けることにより、ケーシング内に確認光を発する手段１５を配置する。【選択図】      図１
2008096351.tif 000002
【特許請求の範囲】
【請求項１】
スプリングで検出針を付勢して検出針の被検出物に押し当てる先端をケーシングから突出せしめ、この検出針の先端を被検出物に押し当ててケーシングの開口端まで押し込むことによりスプリングを一定量圧縮せしめるようになっており、検出針を伝わる被検出物の機械的振動を電気的信号に変換する感振素子を検出針の後端側に設けたものにおいて、ケーシング内に確認光を発する手段を配置したことを特徴とする振動計。
【発明の詳細な説明】
【技術分野】
【０００１】
本発明は、スチームトラップ等の弁の作動に伴う振動や回転軸の振動を検出して、作動の良否を確認するときに用いる振動計に関し、特に振動計の被検出物への押し当て状態の改良に関する。
【背景技術】
【０００２】
従来の振動計は、スプリングで検出針を付勢して検出針の被検出物に押し当てる先端をケーシングから突出せしめ、この検出針の先端を被検出物に押し当ててケーシングの開口端まで押し込むことによりスプリングを一定量圧縮せしめるようになっており、検出針を伝わる被検出物の機械的振動を電気的信号に変換する感振素子を検出針の後端側に設けたものである。
【０００３】
上記従来の振動計は、ケーシングの被検出物への押し当て角度、すなわち検出針の被検出物への押し当て角度が異なると、被検出物に生じている振動の方向に対して検出針の軸心方向が異なるために、検出される振動レベルにバラツキを生じる問題点があった。バラツキを生じさせないために、被検出物に対してケーシングを一定の角度で押し当てる必要があるが、一定の角度で押し当てられているか否かを確認できなかった。
【特許文献１】特開平７−２８６８９１号公報
【発明の開示】
【発明が解決しようとする課題】
【０００４】
解決しようとする課題は、被検出物に対してケーシングを一定の角度で押し当てることのできる振動計を提供することである。
【課題を解決するための手段】
【０００５】
本発明は、スプリングで検出針を付勢して検出針の被検出物に押し当てる先端をケーシングから突出せしめ、この検出針の先端を被検出物に押し当ててケーシングの開口端まで押し込むことによりスプリングを一定量圧縮せしめるようになっており、検出針を伝わる被検出物の機械的振動を電気的信号に変換する感振素子を検出針の後端側に設けたものにおいて、ケーシング内に確認光を発する手段を配置したことを特徴とする。
【発明の効果】
【０００６】
本発明は、確認光を確認しながらケーシングの被検出物への押し当て角度を修正することにより、被検出物に対してケーシングを一定の角度で押し当てることができる。そのため、検出される振動レベルのバラツキをなくすことができるという優れた効果を生じる。
【発明を実施するための最良の形態】
【０００７】
本発明の振動計は、ケーシング内に確認光を発する手段を配置しているので、ケーシングの開口端が被検出物で完全に塞がれると確認光を殆ど目から確認できなくなる。そのため、確認光を殆ど確認できなくなるように、ケーシングの被検出物への押し当て角度を修正することにより、被検出物に対してケーシングを一定の角度で押し当てることができる。
【実施例１】
【０００８】
上記の技術的手段の具体例を示す実施例を説明する（図１と図２参照）。振動計のケーシングは本体１と、本体１の後端に固定したキャップ３とから形成する。本体１内に検出針４を軸方向に摺動自在に配置する。検出針４の後端に感振素子５を固定する。感振素子５は検出針４の後端に、振動伝達板６をねじ結合すると共に電極板７と圧電素子８と電極板９とウエイト１０と防振ゴム１１を挿入してナット１２で固定したものである。防振ゴム１１とキャップ３の間にコイルスプリング１３を配置する。コイルスプリング１３の付勢力によって検出針４の先端が本体１の開口１４端から突出している。キャップ３に確認光を発する手段１５を取り付けることにより、ケーシング内に確認光を発する手段１５を配置する。確認光を発する手段１５としてはＬＥＤなどの発光素子を用いる。本体１の開口１４端が塞がれなければ確認光が振動伝達板６の下面が当接する本体１の内端上面の溝から本体１と検出針４の間の隙間を通して外部に洩れ、明るい光として見えるが、開口１４端が被検出物で完全に塞がれると確認光を殆ど目から確認できなくなる。感振素子５で検出した電圧変動がケーブル１６ないしは無線式伝送手段により判定器（図示せず）に送られる。
【０００９】
次に本実施例の振動計の作用について説明する。本体１を手で握って検出針４の先端を被検出物に押し当てる。そして、確認光を発する手段１５から発せられる確認光を確認し、確認光が殆ど目から確認できなくなるように、被検出物への押し当て角度を修正しながら、コイルスプリング１３の付勢力に抗して検出針４の先端を本体１の開口端１４まで押し込むことにより、コイルスプリング１３を一定量圧縮せしめ、検出針４を一定の押圧力で被検出物に押し当てる。被検出物の振動が検出針４を通して振動伝達板６に伝わり、圧力変動として圧電素子８に作用し電圧変動が生じる。この電圧変動が電極板７，９からケーブル１６により判定器に送られ、判定器で被検出物の作動の良否が判定される。
【図面の簡単な説明】
【００１０】
【図１】本発明の振動計の断面図。
【符号の説明】
【００１１】
１  本体
３  キャップ
４  検出針
５  感振素子
７  圧電素子
１３  コイルスプリング
１４  本体の開口端
１５  確認光を発する手段
【図１】
2008096351.tif 000003
(57)【要約】【課題】  不用意に誤って落下させたり物に当てたりしても検出針の先端を損傷させることのない振動計を提供する。【解決手段】  振動計のケーシングは本体１と、本体１の後端に固定したキャップ３とから形成する。検出針４を軸方向に変位自在に本体１に取り付け、検出針４に温度応動部材としての形状記憶合金１３を連結する。形状記憶合金１３の変形により被検出物に押し当てる検出針４の先端を低温時に本体１内に没入させ高温時に本体１の開口１４から突出させるようになっており、本体１の開口１４を被検出物に押し当てることにより被検出物の高温時の熱による形状記憶合金１３の変形により検出針４の先端が被検出物に押し当てられる。【選択図】      図１
2008096348.tif 000002
【特許請求の範囲】
【請求項１】
検出針を軸方向に変位自在にケーシングに取り付け、検出針に温度応動部材を連結して、温度応動部材の変形により被検出物に押し当てる検出針の先端を低温時にケーシング内に没入させ高温時にケーシングの開口から突出させるようになっており、ケーシングの開口を被検出物に押し当てることにより被検出物の高温時の熱による温度応動部材の変形により検出針の先端が被検出物に押し当てられることを特徴とする振動計。
【発明の詳細な説明】
【技術分野】
【０００１】
本発明は、スチームトラップ等の高温の弁の作動に伴う振動を検出して、作動の良否を確認するときに用いる振動計に関し、特に検出針が所望の力で被検出物に押し当てられるようにしたものに関する。
【背景技術】
【０００２】
検出針が所望の力で被検出物に押し当てられるようにした従来の振動計は、検出針を軸方向に変位自在にケーシングに取り付け、スプリングで検出針を付勢して被検出物に押し当てる検出針の先端をケーシングの開口から突出せしめ、この検出針の先端を被検出物に押し当ててケーシングの開口まで押し込むことによりスプリングを一定量圧縮せしめるものである。
【０００３】
上記従来の振動計は、持ち運び時等の検出針を被検出物に押し当てていないときには検出針の先端がケーシングの開口から突出したものであるので、不用意に誤って落下させたり物に当てたりして検出針の先端を損傷させる問題点があった。
【特許文献１】実公平６−３７３０３号公報
【発明の開示】
【発明が解決しようとする課題】
【０００４】
解決しようとする課題は、不用意に誤って落下させたり物に当てたりしても検出針の先端を損傷させることのない振動計を提供することである。
【課題を解決するための手段】
【０００５】
本発明は、検出針を軸方向に変位自在にケーシングに取り付け、検出針に温度応動部材を連結して、温度応動部材の変形により被検出物に押し当てる検出針の先端を低温時にケーシング内に没入させ高温時にケーシングの開口から突出させるようになっており、ケーシングの開口を被検出物に押し当てることにより被検出物の高温時の熱による温度応動部材の変形により検出針の先端が被検出物に押し当てられることを特徴とする。
【発明の効果】
【０００６】
本発明は、持ち運び時等の被検出物に押し当てていない低温時には温度応動部材の変形により検出針の先端がケーシング内に没入している。そのため、不用意に誤って落下させたり物に当てたりしても検出針の先端を損傷させることがないという優れた効果を生じる。
【発明を実施するための最良の形態】
【０００７】
本発明の振動計は、温度応動部材の変形により被検出物に押し当てる検出針の先端を低温時にケーシング内に没入させ高温時にケーシングの開口から突出させるようになっており、ケーシングの開口を被検出物に押し当てることにより被検出物の高温時の熱による温度応動部材の変形により検出針の先端を被検出物に押し当てるものである。そのため、持ち運び時等の被検出物に押し当てていない低温時には温度応動部材の変形により検出針の先端がケーシング内に没入している。そのため、不用意に誤って落下させたり物に当てたりしても検出針の先端を損傷させることがない。
【実施例１】
【０００８】
上記の技術的手段の具体例を示す実施例を説明する（図１参照）。振動計のケーシングは本体１と、本体１の後端に固定したキャップ３とから形成する。本体１内に検出針４を軸方向に変位自在に配置する。検出針４の後端に感振素子５を固定する。感振素子５は検出針４の後端に、振動伝達板６をねじ結合すると共に電極板７と圧電素子８と電極板９とウエイト１０と防振ゴム１１を挿入してナット１２で固定したものである。防振ゴム１１とキャップ３の間に温度応動部材としてのコイル形状の形状記憶合金１３を配置する。形状記憶合金１３の一端は防振ゴム１１に固定し他端はキャップ３に固定する。形状記憶合金１３は温度に応じて変形し、所定温度例えば６０度以下であれば母相からマルテンサイト相にマルテンサイト変態して予め縮み記憶させておいた短い形状に変形し、検出針４の先端を本体１内に没入させ、所定温度以上になればマルテンサイト相から母相に逆変態して伸び記憶させておいた長い形状になり、検出針４の先端を本体１の開口１４から突出させる。感振素子５で検出した電圧変動がケーブル１６ないしは無線式伝送手段により判定器（図示せず）に送られる。
【０００９】
次に本実施例の振動計の作用について説明する。持ち運び時等の被検出物に押し当てていない低温時には形状記憶合金１３が短い形状に変形し、検出針４の先端を本体１内に没入させている。そのため、不用意に誤って落下させたり物に当てたりしても検出針４の先端を損傷させることがない。本体１の開口１４を被検出物としてのスチームトラップに押し当てると、スチームトラップの熱により形状記憶合金１３が長い形状に変形し、検出針４の先端をスチームトラップに所望の力で押し当てる。スチームトラップの振動が検出針４を通して振動伝達板６に伝わり、圧力変動として圧電素子８に作用し電圧変動が生じる。この電圧変動が電極板７，９からケーブル１６により判定器に送られ、判定器でスチームトラップの作動の良否が判定される。
【図面の簡単な説明】
【００１０】
【図１】本発明の振動計の断面図。
【符号の説明】
【００１１】
１  本体
３  キャップ
４  検出針
５  感振素子
７  圧電素子
１３  形状記憶合金
１４  本体の開口
【図１】
2008096348.tif 000003
(57)【要約】【課題】  従来の電波吸収材料の評価は、大面積の試料に電磁波を直接照射して、その反射減衰量を測定する方法であり、電波吸収材料の小片や少量の試料を感度良く測定する方法がなかった。【解決手段】  この問題を解決するために、本発明は空洞共振器の共振状態を悪くしないために、空洞共振器の上蓋に電気力線に平行なスリットをつくり、ここから試料を挿入する。その後試料を９０°回転して、電気力線が材料を横断するようにする。こうして、微量な電波吸収特性を小さい試料片で測定することを可能にする。【選択図】図１
2008096408.tif 000002
【特許請求の範囲】
【請求項１】
空洞共振器の電気力線を横断しない方向に設けたスリットから被測定物（以下、試料と呼ぶ）を挿入して、電気力線に影響を与える方向に試料を移動して、共振状態の変化（共振周波数およびＱ値）から電波吸収率を測定する装置。
【請求項２】
空洞共振器内の請求項１に示す電気力線を横断しない位置に試料を配置する方法として共振状態に影響を及ぼさない図４に示す位置にスリットを設けて試料を挿入する方法の装置。
【請求項３】
測定する試料が導体の場合も含めて、対処できるように図５に示す絶縁物（ＰＴＦＥ等）の試料フォルグを使用して測定する装置。
【発明の詳細な説明】
【技術分野】
【０００１】本発明は電波の吸収特性を測定するための測定システムの分野に関するものである。
【背景技術】
【０００２】従来の電波吸収材料の評価には、大面積の試料に電磁波を直接照射して、その減衰量を測定する方法がある。しかし、微量の電波吸収量の測定や、小面積の試料の電波吸収量を測定することは出来ない。また、昨今の電子回路の高速化により、電子回路筐体内の共振電波が筐体の隙間からの電波漏洩を引き起こしている現象が見られる。【０００３】微量の電波吸収量測定や小面積の試料の減衰量を測定したい。また、電波漏洩を防ぐためには、電波吸収特性を持つ材料で筐体を製作する必要があるが、時間もコストもかかる。
【発明の開示】
【発明が解決しようとしている課題】
【０００４】本発明は、図１のような円筒型空洞共振器を使用する。空洞共振器内に試料を挿入すると、試料の電磁波に対する誘電体損のため、共振周波数が低周波側に移動し、Ｑ値が減少する。このＱ値の減少量を電波吸収率として測定する。
また、空洞共振器に試料を挿入する方法として、空洞共振器の共振状態を悪くしないために、図４のように空洞共振器の上蓋に電気力線に平行なスリットをつくり、ここから試料を挿入する、その後、試料を９０°回転して、電気力線が材料を横断するようにする。このため、微量な電波吸収特性を小さい試料片で測定することを可能にした。
空洞共振器への挿入試料は、従来絶縁物のみが許されていた。試料の挿入に、図４に示す絶縁体の試料フォルダを使用することにより、測定試料として導体も可能にした。
なお、周波数を変更して空洞共振器の共振モードを変え電気力線のところにを磁気力線がくるようにすると、磁気損失および透磁率も測定できる。
【課題を解決するための手段】
【０００５】図２に示すように、本発明は共振状態に置かれた円筒型空洞共振器の上蓋のスリットから試料を挿入して（ステップ１）、９０度回転して空洞共振器内部の外壁に沿って試料を設置する（ステップ２）。この位置に設置するとたとえばＴＭ０１０モードの電気力線を横断することが無い（図３参照）。このことにより共振器のＱ値を高く維持できるため、試料挿入の前後での微少な共振状態の変化から試料の電波吸収率を測定できる。
試料は円筒型空洞共振器の上蓋のスリットから挿入する。スリットは円筒の中心から放射状の線上に沿って細く開ける。ＴＭ０１０モードに置いては、図４のようなスリットを共振器上部に開けても、その共振器のＱ値特性、共振周波数にほとんど影響を与えない。
試料の挿入には、図５のようなＰＴＦＥで製作した試料フォルダを利用する。試料を両面テープで試料フォルダに貼り付けることにより試料を固定できる。このような絶縁体の試料フォルダを使用することにより、導体の試料も測定できる。
共振周波数１ＧＨｚの銅製の共振器（一例）に試料を挿入した場合、試料の面積と共振周波数の変化を図６、Ｑ値の変化を図７に示す。
同一面積の試料を用意すれば、その電波吸収特性の優劣が容易に判断できる。
【図面の簡単な説明】
【０００６】
【図１】円筒型空洞共振器の全体図
【図２】円筒型空洞共振器に試料を挿入する手順
【図３】ＴＭ０１０モードの電力線及び磁力線を示した図
【図４】円筒型空洞共振器の上蓋の試料挿入スリットを示した図
【図５】試料設置台と試料貼り付け方法の図
【図６】試料の面積と共振周波数の関係を示した図
【図７】試料の面積と共振器のＱ値の関係を示した図
【符号の説明】
【０００７】１：円筒空洞共振器
２：アンテナ
３：試料挿入スリット
４：試料設置台
【図１】
2008096408.tif 000003
【図２】
2008096408.tif 000004
【図３】
2008096408.tif 000005
【図４】
2008096408.tif 000006
【図５】
2008096408.tif 000007
【図６】
2008096408.tif 000008
【図７】
2008096408.tif 000009
(57)【要約】      （修正有）【課題】  従来、プリンを食する時は、プリンを器等に移して食することが通例であるが、本願は容器を開封せず、容器をシエ−クしてプリンを液状にし、スプーン等を使う必要がなく、手軽にプリンを食することができるようにする。  【解決手段】  プリンを食するときは、開封せず容器ごと振ってシエ−クし、液状に近い状態にしてストロ−で吸引して食すが、幼児でも簡単に液状にできるように内側に羽を２箇所対称につけ、より撹拌できるようにする。  底部分を凸面にして液状にしたプリンを集め、液状に近い状態になつた、プリンを吸引しやすい様にした。  ヨ−グルト等もシエ−クして同じ様に、スプ−ンを使わず、歩きながらでもストロ−で吸引して、食することが出来る様にした。  容器には、ストロ−を装置する。【選択図】図４
2008094485.tif 000002
【特許請求の範囲】
【請求項１】
透明なプラスティック容器を使い、従来の方法でプリン等は作りますが、プリン等の入っている容器を開封せず、容器ごとシエ−クしてプリン等を撹拌して、液状に近い状態にさせ、プリン等は器等に移さず、スプ−ンを使わず、容器の蓋部分に開けた穴に、直接ストロ−を差し込み吸引して食します。
【請求項２】
プラスティック容器の底部分に、凸面型の底部分を設け、プリン等を液状に近い状態にしたとき、底部分にプリンを集めて、容易にストロ−で吸引できるようにする。
容器には、ストロ−を装置しますが、容器の蓋部分に、ストロ−を差し込む穴を設け（飲食する時は、容易に剥がすことのできる接着方法を取り入れる）、穴を塞いだシ−ルを剥がし、ストロ−を差し込み吸引して食します。
【請求項３】
容器は、円筒状の形にするが、内側に１ｃｍ位の仕切りを２カ所対象につけ、プリン等をシエ−クして撹拌するとき、幼児でも容易に液状にすることができるようにする。
【発明の詳細な説明】
【技術分野】
【０００１】  本発明は、外出先等でプリン等を食するとき、開封せず、器等に移さず直接ストロ−を差し込み飲食するようにしたものであります。
【背景技術】
【０００２】  従来のプリンの食し方は、プリンを開封して、器等に移してスプ−ン等を使っての食し、ヨ−グルト等は開封して、スプ−ン等を使っての食し方が通例ですが、容器を開封せず、シエ−クして液状にして容器から出さず、ストロ−差し込み口から吸引して、食することができるようにしたものです。
【発明の開示】
【発明が解決しょうとする課題】
【０００３】  従来の市販されているプリンは、容器に移して、スプ−ン等の食器を使い食するのが通例ですが、容器を開封せず、容器ごとシエ−クして撹拌し液状にして、ストロ−で吸引する食し方で、外出先で器やスプ−ン無しでも食することが出来る様にした。
ヨ−グルト等も、スプ−ン無しでも装置したストロ−で吸引して食する様にした。
【課題を解決するための手段】
【０００４】  この課題を解決するためには、請求項３の、容器の内側に羽状の仕切りを対象につけることで、シエ−クするとき、幼児でも容易に撹拌し液状にすることができるようにし、請求項２の容器の底部分を凸面状にし、液状にしたプリン等を集め、ストロ−で吸引し易い様にしたものです。
【発明の効果】
【０００５】  プリンを食するとき、器等の食器に移さずスプ−ンも使わず、ストロ−だけでどこでも食する事ができるので、外出先でも歩きながらでも食することができるので、プリンを食する機会が増え売上を伸ばす事が、想定されます。
同じ様にヨ−グルト等を食す時も、スプ−ン等を使わずストロ−を使用するので、歩きながらでも、片手でも食すことができので食する機会が増えることが想定される。
【発明を実施するための最良の形態】
【０００６】  図４・図５は、プリン等をシエ−クするとき、容器の内側に羽を取り付ける事で、幼児でも容易に撹拌できる様にした。
図６・図７は、底面を凸状にすることで、液状に近い状態にしたプリン等を、底部分に集めストロ−で、吸引し易い様にしたものです。
【産業上の利用可能性】
【０００７】  本発明の、プリン等を撹拌し易い様に取り付けた羽や、液状にしたプリン等を集めストロ−で吸引し易い様にした底部分の凸面の窪みは、工業的に量産する事が可能があるため、産業上の利用可能性を有する。
【図面の簡単な説明】
【０００８】
【図１】プリン等の容器の蓋部分と、ストロ−差し込み口部分の図。
【図２】プリン等の容器の側面図でストロ−を装置した図。
【図３】プリン等の容器の蓋部分でストロ−を差し込んだ時の図。
【図４】プリン等の容器の内側の撹拌し易い様に取り付けた羽部分の図。
【図５】プリン等の容器の内側の羽部分の側面図。
【図６】プリン等の容器の底部分の図。
【図７】プリン等の容器の底部分の凸面部等の断面面。
【図８】プリン等容器の全体図
【図１】
2008094485.tif 000003
【図２】
2008094485.tif 000004
【図３】
2008094485.tif 000005
【図４】
2008094485.tif 000006
【図５】
2008094485.tif 000007
【図６】
2008094485.tif 000008
【図７】
2008094485.tif 000009
【図８】
2008094485.tif 000010
(57)【要約】【課題】各収容室に収容された２種類の飲料を別々に取り出せ、且つ構造が簡単で、実用的な保温水筒を提供すること。【解決手段】種類が異なる飲料や、同じ種類の飲料ではあるが温度が異なる飲料などを各収容室７、８内に別々に収容し、コップ４Ａを回動させて瓶本体２から取り外し、次いで中栓３Ａを回動させて内瓶５Ａから取り外し、取り外した前記コップ４Ａ内に取出口９を介して一方の飲料を注いで、利用者の利用に供することができる。【選択図】図１
2008094490.tif 000002
【特許請求の範囲】
【請求項１】
飲料を収容する上下の収容室となる内瓶と外瓶とで瓶本体を構成し、前記瓶本体内の各収容室に収容された２種類の飲料を各内瓶の上下の端部に形成された各取出口から別々に取り出せるようにしたことを特徴とする保温水筒。
【請求項２】
飲料を収容する水筒本体内に分離体で上下に各収容室を形成すると共に、前記水筒本体内の各収容室に収容された２種類の飲料を別々に取り出せるように各収容室の上下の端部に各取出口を形成したことを特徴とする保温水筒。
【発明の詳細な説明】
【技術分野】
【０００１】  本発明は、飲料を収容する収容室となる内瓶と外瓶とで瓶本体を構成し、前記瓶本体内の収容室に収容された飲料を各内瓶の端部に形成された取出口から取り出せるようにした保温水筒に関する。
【背景技術】
【０００２】  この種の保温水筒は、収容室内に収容された１種類の飲料を取り出すのが一般的である。しかし、収容室が１室であると、飲みたい飲料が１種類のみであり、２種類の飲料、例えば種類が異なる飲料や、同じ種類の飲料ではあるが温度が異なる飲料を飲むことができない。【０００３】  このため、例えば、実開平７−１９１７２号公報に開示するような２種類の飲料の利用ができる保温水筒が提案されている。
【特許文献１】  実開平７−１９１７２号公報
【発明の開示】
【発明が解決しようとする課題】
【０００４】  しかしながら、収容室を２室として、両収容室端部に設けた１つの円径バルブで切り替えることにより、２種類の飲料から１つを選んで飲むようにしたものであるため、前記円径バルブの構造が複雑となり、実用的な保温水筒ではなかった。【０００５】  そこで本発明は、各収容室に収容された２種類の飲料を別々に取り出せ、且つ構造が簡単で、実用的な保温水筒を提供することを目的とする。
【課題を解決するための手段】
【０００６】  このため第１の発明に係る保温水筒は、飲料を収容する上下の収容室となる内瓶と外瓶とで瓶本体を構成し、前記瓶本体内の各収容室に収容された２種類の飲料を各内瓶の上下の端部に形成された各取出口から別々に取り出せるようにしたことを特徴とする。【０００７】  また第２の発明に係る保温水筒は、飲料を収容する水筒本体内に分離体で上下に各収容室を形成すると共に、前記水筒本体内の各収容室に収容された２種類の飲料を別々に取り出せるように各収容室の上下の端部に各取出口を形成したことを特徴とする。
【発明の効果】
【０００８】  本発明は、各収容室に収容された２種類の飲料を別々に取り出せ、且つ構造が簡単で、実用的な保温水筒を提供することができる。
【発明を実施するための最良の形態】
【０００９】  以下図面に基づき、本発明の実施の形態を説明する。図１は右半分を縦断面した保温水筒１の一部破断面図であり、図２は一方のコップ４Ａを外した状態の右半分を縦断面した保温水筒１の一部破断面図であり、以下説明する。【００１０】  先ず、持ち運びができる携帯用ボトルである保温水筒１は、金属製魔法瓶である瓶本体２と、中栓３Ａ、３Ｂと、コップ４Ａ、４Ｂとからなっており、以下詳述する。【００１１】  前記瓶本体２は、ステンレス鋼からなる内瓶５Ａ、５Ｂと外瓶６とで構成された断面円形の真空二重構造を有し、各内瓶５Ａ、５Ｂと外瓶６とはそれぞれの口部で接合されている。従って、内瓶５Ａ、５Ｂと外瓶６とで、保温水筒１内に上下に収容室７、８が形成されると共に、各収容室７、８内に収容された２種類の飲料を各収容室７、８の上下の端部に形成された取出口９、１０を介して別々に取り出すことができる。以上のように、内瓶５Ａ、５Ｂの収容底壁が上下に各収容室７、８を形成する分離体の役割を果たす。【００１２】  なお、前記内瓶５Ａ、５Ｂの外周面には、輻射防止用の銅などの金属箔を付着させたり、またはメッキなどの輻射防止用の膜を形成している。【００１３】  前記中栓３Ａ、３Ｂは、前記瓶本体２の口部に外側から螺合して、前記取出口９、１０を開閉するものである。この中栓３Ａ、３Ｂは、その一部を押圧すると、取出口９、１０が開口し、飲料をこの取出口９、１０を介して取り出すことができる構造のものでもよい。また、前記コップ４Ａ、４Ｂは、前記中栓３Ａ、３Ｂを覆うようにして前記外瓶６に外側から螺合させることによって取り外し可能に取り付けられる。【００１４】  従って、例えば、種類が異なる飲料や、同じ種類の飲料ではあるが温度が異なる飲料などを各収容室７、８内に別々に収容し、図２に示すように、前記コップ４Ａを回動させて瓶本体２から取り外し、次いで中栓３Ａを回動させて内瓶５Ａから取り外し、取り外した前記コップ４Ａ内に取出口９を介して一方の飲料を注いで、利用者の利用に供することができる。【００１５】  また、この後、中栓３Ａを回動させて内瓶５Ａに取り付けた後、前記コップ４Ａを回動させて瓶本体２に取り付け、保温水筒１を上下逆さまにし、この状態から前記コップ４Ｂを回動させて瓶本体２から取り外し、次いで中栓３Ｂを回動させて内瓶５Ｂから取り外し、取り外したコップ４Ｂ内に取出口１０を介して他方の飲料を注いで、利用者の利用に供することができる。【００１６】  以上のように、本発明によれば、各収容室に収容された２種類の飲料を取出口９、１０を介して別々に取り出せ、且つ構造が簡単で、実用的な保温水筒１を提供することができる。【００１７】  以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００１８】
【図１】  右半分を縦断面した保温水筒の一部破断面図である。
【図２】  一方のコップを外した状態の右半分を縦断面した保温水筒の一部破断面図である。
【符号の説明】
【００１９】  １          保温水筒
２          瓶本体
３Ａ、３Ｂ  中栓
４Ａ、４Ｂ  コップ
５Ａ、５Ｂ  内瓶５Ａ、５Ｂ
６          外瓶
７、８      収容室
９、１０    取出口
【図１】
2008094490.tif 000003
【図２】
2008094490.tif 000004
(57)【要約】【課題】従来から円筒ロール形状の品物の輸送は梱包が難しいため、ロールの心棒を木や鉄製のラックで吊るして輸送することが多いこれらの方法は安定やバランスが悪いため、梱包に費用が多くかかる問題があった。【解決手段】これらの問題点を解決する手段として、ロール全体を湾曲したダンボールシートで支えるハンモック式梱包を開発した。これによりロール製品はハンモック式吊り板とスリーブ枠によって、宙吊り状態を保ちながらケースに収納して安定した輸送ができるようになった。【選択図】図５
2008094488.tif 000002
【特許請求の範囲】
【請求項１】
ダンボール製のケースとスリーブ枠と吊り板からなり、スリーブ枠の中に吊り板をつるし、両者が合体してケースの中に装着していることを特徴とする、ロール製品輸送箱。
【請求項２】
スリーブ枠は組み立てると、四角形またはコの字形を成すようにつくられ、かつダンボールシートのフルートの方向が垂直になるように作られていることを特徴とする、ロール製品輸送箱。
【請求項３】
吊り板はダンボールシートの中央部分に、幾本もの罫線を平行に付け、組み立てたとき曲面を形成し、かつ断面の形状がＭ字形になることを特徴とする、ロール製品輸送箱。
【請求項４】
吊り板とスリーブ枠とＡ式ケースの材質が、ダンボール以外のプラスティックや発泡樹脂で作られていることを特徴とする、ロール製品輸送箱。
【発明の詳細な説明】
【技術分野】
【０００１】本発明はダンボールの梱包箱の分野に属する。
【背景技術】
【０００２】これまで重量のあるロール製品の輸送は、形が不安定な上に重量が重いため梱包が難しく、そのため鉄製のラックに吊るしたり、ベニヤや木箱にしっかり固定して輸送することが多い。
【発明の開示】
【発明が解決しようとする課題】
【０００３】これら鉄製ラックは何回も再使用できる利点はあるが、再使用するための輸送費用も高くかかり、また木製箱は再使用が難しく、使用後の廃棄も環境問題で難しい状況にある。
【課題を解決するための手段】
【０００４】これらの課題を解決するために、リサイクル容易な素材のダンボールを使って、シートの使い方と構造設計によって、強固な箱と、強固なスリーブ枠を作り、これに吊り板を組み合わせて、重量のあるロールの搬送にも十分耐え、かつロールを安定した状態で運ぶ梱包輸送箱を開発した。
【発明の効果】
【０００５】ダンボールと言うリサイクル容易な素材を使用することによって、安くて丈夫で、しかも使用後の廃棄についても環境問題に十分配慮してつくられている。
【発明を実施するための最良の形態】
【０００６】ダンボールケースの中に、スリーブ枠をセットして二重構造で強度の強い壁面を作り、その内側にロールの荷重をケース全体に分散して支えるハンモック式吊り板を備えて、均等荷重構造を実現したロール輸送用ケースである。
【実施例】
【０００７】図１は吊り板１の全体図である。
吊り板１の中央部分には幾本もの罫線１Ａを付けて、ダンボールシートが湾曲しやすいように加工する。そして組立てたとき、断面の形状はＭ字形を形成する。中央の湾曲面１Ｂはロールを乗せたとき、側面１Ｃから浮くようにつくられる。吊り板１の罫線１Ａは、通常ダンボールのフルートに対し直角方向に付けるが、ロールの重量などの条件によっては平行に付けてもよい。
【実施例】
【０００８】図２はスリーブ枠２の全体図である。
スリーブ枠２は枠だけで底は付いていない。そして組み立てると四角形の枠になり、ダンボールのフルートが垂直になるようにつくる。通常スリーブ枠２はダンボールシート１枚で作るが、ロールの重量が重い場合は、２枚や３枚重ねて作ることもある。
【実施例】
【０００９】図３はコの字形をしたスリーブのコの字枠３である。
このコの字枠３を左右対象に並べて、その中間に吊り板１を吊るすこともできる。
【実施例】
【００１０】図４はダンボールのＡ式ケース４の全体図である。
これには蓋と底が付いている。このケースの中に吊り板１とスリーブ枠２を、組み立て合体したものを装着する。吊り板１とスリーブ枠２の合体方法は、吊り板１の湾曲面１Ｂをスリーブ枠２の内側に装着した後、側面部１Ｃをスリーブ枠２の外側に折り曲げて組み立てる。
【実施例】
【００１１】図５は吊り板１やスリーブ枠２を装着し完成したロールケースの斜視図である。
【実施例】
【００１２】図６は完成したロールケースの断面図である。
スリーブ枠２の内側と外側に、吊り板１が吊るされた状態に組み立てられ、ケースの中に装着されている。吊り板１とスリーブ枠２とＡ式ケース３は通常強化ダンボールを使用する。
【産業上の利用の可能性】
【００１３】本考案のロールケースの最大の特徴は、ケースの中にロールを宙吊り状態で納めて輸送できることである。これにより従来難しいとされていた、軟質系フイルムやアルミ箔ロールのケース輸送も可能となった。また吊り板１がロールの曲面にフィットするように作られているので、ロールの表面を傷つけにくいメリットがある。そして構造的にロールの荷重がケース全体に均等に分散するようになっているので、荷重バランスが良い梱包輸送が可能となった。
【図面の簡単な説明】
【００１４】
【図１】ハンモック式吊り板の組立図である。
【図２】スリーブ枠の組立図である。
【図３】コの字形スリーブ枠の組立図である。
【図４】Ａ式ケースの組立図である。
【図５】完成したロールケース斜視図である。
【図６】ロールケースの断面図である。
【符号の説明】
【００１５】１                  吊り板
１Ａ                罫線
１Ｂ                湾曲面
１Ｃ                側板
２                  スリーブ枠
３                  コの字枠
４                  Ａ式ケース
【図１】
2008094488.tif 000003
【図２】
2008094488.tif 000004
【図３】
2008094488.tif 000005
【図４】
2008094488.tif 000006
【図５】
2008094488.tif 000007
【図６】
2008094488.tif 000008
(57)【要約】【課題】開閉作業が容易で蛇腹ホースの伸縮作用に連動して開閉が可能なキャップ構造を提供する。【解決手段】凹蓋１と凸蓋２は蛇腹ホース６に連結されており、蛇腹ホース６を伸縮することにより、凹蓋１と凸蓋２に設けられた栓体３と開け口４を連動して開閉することができる。【選択図】図１
2008094484.tif 000002
【特許請求の範囲】
【請求項１】
蛇腹ホース６の内部に、凹蓋１と凸蓋２を設け、蛇腹ホース６を伸縮するとそれに連動して凹蓋１と凸蓋２に設けられた開け口４と栓体３が開閉することを特徴とする蛇腹式プッシュプルキャップ、及び蛇腹ホ−ス内部のキャップ構造。
【発明の詳細な説明】
【技術分野】
【０００１】本発明品は容器のプッシュプルキャップや蛇腹ホースに関するものであり、蛇腹ホース内部に開閉可能な栓を設けることで、開閉作業を容易にしたものである。
【背景技術】
【０００２】従来のプッシュプルキャップには主に特許文献１〜４のような物が例として上げられる。いずれもオーバーキャップと呼ばれる上蓋とキャップ本体が分離されており、オーバーキャップをキャップ本体に装着させ、それを上下させることにより開け口を開閉する構造となっている。また、蛇腹ホース内部にキャップ構造を持つものは無い。
【特許文献１】特開２００５−１９３９１５号公報
【特許文献２】特開２００２−２５５２１２号公報
【特許文献３】特開２００１−１３０６１６号公報
【特許文献４】特開２０００−２３８８２２号公報
【発明の開示】
【発明が解決しようとする課題】
【０００３】開閉作業が容易で蛇腹ホースの伸縮作用に連動して開閉が可能なキャップ構造を提供する。
【課題を解決する為の手段】
【０００４】凹蓋１と凸蓋２は蛇腹ホース６に連結されており、蛇腹ホース６を伸縮することにより、凹蓋１と凸蓋２に設けられた栓体３と開け口４を連動して開閉することができる。
【発明の効果】
【０００５】これにより、蛇腹ホース６を伸縮するだけで簡単に栓体３の開閉作業をすることができる。また、従来のプッシュプルキャップ（特許文献１〜４参照）と比べ、蛇腹ホース６が折りたためる構造になっているため非常にコンパクトに収納が可能となる（図２参照）。そのため、小さめの容器にも適する構造となっている。
【発明を実地する為の最良の形態】
【０００６】凹蓋１と凸蓋２は用途によって使い分けることができる。例えば液体の流れる量が多量に必要な場合は、上から凸蓋２、凹蓋１と並べることにより、凹蓋１の内側に備えられた空気孔８（図３参照）で空気の流入が可能となり、多量に液体を流すことが可能となる（図５参照）。
【０００７】液体の流れる量が少量だけ必要な場合は上から凹蓋１、凸蓋２と並べて、凹蓋１の空気孔８を無くすことで、空気の流入が開け口のみとなり、少量しか流れ出ない（図１参照）。
【実地例】
【０００８】（図５）は蛇腹ホース内部のキャップ構造の開いた状態を示した図である。蛇腹ホース６を伸ばすと、凸蓋２に設けられた栓体３が持ち上がり、凹蓋１の開け口４が開封される。空気孔８も同時に開くので空気が流入しやすくなり、液体が流れやすくなる効果がある。
【０００９】（図６）は蛇腹ホース内部のキャップ構造の閉じた状態を示した図である。蛇腹ホース６を縮めることにより、凸蓋２の栓体３で、凹蓋１の開け口４を閉めることができ、空気孔８も閉じられるので液体は流れない。
【産業上の利用可能性】
【００１０】台所用液体洗剤容器、灯油容器のノズルホース、飲料用パックやストロー、ペットボトルなど液体や気体を使用する分野でならばいろいろ利用できる。
【図面の簡単な説明】
【００１１】
【図１】蛇腹式プッシュプルキャップの開いた状態を示した正面断面図である。
【図２】蛇腹式プッシュプルキャップの閉じた状態を示した正面断面図である。
【図３】凹蓋１の詳細を示した平面断面図である。
【図４】凸蓋２の詳細を示した平面断面図である。
【図５】蛇腹ホース内部のキャップ構造の開いた状態を示した正面断面図である。
【図６】蛇腹ホース内部のキャップ構造の閉じた状態を示した正面断面図である。
【符号の説明】
【００１２】１凹蓋
２凸蓋
３栓体
４開け口
５注出口
６蛇腹ホース
７キャップ
８空気孔
【図１】
2008094484.tif 000003
【図２】
2008094484.tif 000004
【図３】
2008094484.tif 000005
【図４】
2008094484.tif 000006
【図５】
2008094484.tif 000007
【図６】
2008094484.tif 000008
(57)【要約】      （修正有）【課題】ペットボトルのビニールラベルを容易にとりはがす用具を提供する。【解決手段】今までは爪で、はがしたけれど、これを使って貰えれば簡単に取れる。ペットボトルに、くい込み安い角度に爪を整えて指にハメテ使う。ペットボトルのビニールラベルをこの爪でヒッカケテはがす。【選択図】図１
2008094487.tif 000002
【特許請求の範囲】
【請求項１】
この、商品は指にハメテ使う物です
サックの先端が長い爪の用に、なっていてペットボトルの飲み終わりに回りのラベルに爪を、かけてハガシます今まで面倒だった回りのラベルハガシが簡単に出来ます。
【発明の詳細な説明】
【技術分野】
【０００１】ペットボトルの回りのラベルはがし用
【発明の開示】
【発明が解決しょうとする課題】
【０００２】もっと簡単にラベルがハゲレバ良いと。
【課題を解決するための手段】
【０００３】課題を解決するのは難しいと思う。
【発明の効果】
【０００４】ゴミすてが、とても楽
【発明を実地するための最良の形態】
【０００５】ペットボトルに、くい込み安い角度に爪を整えて指にハメテ使う。
【図面の簡単な説明】
【０００６】ペットボトルのビニールラベルをこの爪でヒッカケテはがします。
【符号の説明】
【０００７】リングのサイズは，Ｓ，Ｍ，Ｌ，ＬＬ，ＬＬＬ  右利き用、左利き用と皆さんの、手に会うように、なって、います。
【図１】
2008094487.tif 000003
【図２】
2008094487.tif 000004
【手続補正書】
【提出日】平成18年12月7日(2006.12.7)
【手続補正１】
【補正対象書類名】明細書
【補正対象項目名】０００６
【補正方法】変更
【補正の内容】
【０００６】
【図１】これは、ペットクンの平面図です
【図２】爪先端部を、ペットボトルに、掛けて回りのビニールを、めくります。指、差し口は、フリーサイズ。
【手続補正２】
【補正対象書類名】明細書
【補正対象項目名】０００７
【補正方法】変更
【補正の内容】
【０００７】１  ペットクンの爪先端２  ペットクン本体３  ペットクンの、指差し込み口Ａ  ペットクンの、爪断面図
【手続補正３】
【補正対象書類名】図面
【補正対象項目名】全図
【補正方法】変更
【補正の内容】
【図１】
2008094487.tif 000005
【図２】
2008094487.tif 000006
(57)【要約】【課題】本発明は、ジッパー付袋等で食品等を保存する時に、袋内からの余分な空気の抜取りが空気の漏れもなく手軽で簡単にでき、場所をとらずデザイン的に優れた手動空気抜取り器を提供すること。【解決手段】本発明は、器具本体１に形成した、指押し式で取外しができる伸縮・復元可能な蛇腹筒２を伸縮作動することで、吸気・排気逆止弁８・９が連動し、付属接合した吸気ノズル３でジッパー付袋１５内の余分な空気を抜取ることがでる。又、器具本体１に付属された、吸気ノズル３に成形したスライド溝１４に沿って移動する、先細スリットの切込み入りスライドクリップ６と磁気クリップ７は、ジッパー付袋１５等の挟みこみと押えで、空気抜取り中の隙間からの空気漏れを防ぐことができる。【選択図】図１
2008094489.tif 000002
【特許請求の範囲】
【請求項１】
器具本体に、取外し式で伸縮・復元可能な蛇腹筒と、内部に吸気・排気逆止弁が形成され、吸気ノズルが付属接合されたことを特徴とする手動空気抜き器。
【請求項２】
吸気ノズルが、ジッパー付袋等との隙間からの空気漏れを少なくするため、楕円形に成形されたことを特徴とする請求項１記載の手動空気抜き器。
【請求項３】
ジッパー付袋等と吸気ノズルとの隙間からの空気漏れ防止のために、吸気ノズルのスライド溝に沿って移動する、先細スリットの切込みが入ったスライドクリップが付属された請求項１又は２記載の手動空気抜き器。
【請求項４】
空気抜き器をジッパー付袋等から引抜きジッパー等を閉める時の空気漏れ防止のために、磁気クリップが付属された請求項１又は２・３記載の手動空気抜き器。
【請求項５】
磁気クリップを収納するためのに、器具本体にポケットが排気口を兼ねて形成させたことを特徴とする請求項１又は２〜４記載の手動空気抜き器。
【発明の詳細な説明】
【技術分野】
【０００１】本発明は、ジッパー付袋等で食品等を保存する時に、袋内から余分な空気を抜取るための手動空気抜き器に関するものである。
【背景技術】
【０００２】従来から食品等の保存のための空気抜き器具は、手動式・自動式等数々のものがある。食品業界等で使用されている機械式自動器具は、食品袋等を真空に近い状態にできるが、小型の物でも高価で場所を必要とするので家庭での使用は難しい。簡単な物として、ストロー等を用いて口で吸取る方法があるが、両手の使用と体力が必要で、又、誤って袋内の液体等を吸ってしまうことがある。【０００３】一方、特許公開２００６−２１８２６には、復元力を利用したポンプ室の圧縮・復元運動と排気・吸気弁による手動空気抜き器や、又、登録実用新案第３０５１５１４号には、自転車の空気入れの逆作用を利用した方法での手動真空ポンプ器が示されている。
【発明の開示】
【発明が解決しようとする課題】
【０００４】ジッパー付袋等で食品等を保存する時に、袋内からの余分な空気の抜取りが手軽で簡単にでき、ジッパー付袋等の隙間からの空気漏れを防ぎ、より真空に近い状態にすることで、又、液体等の吸込みによる手入れが安易で、台所等に在っても場所をとらず、デザイン的に優れた手動空気抜取り器を提供すること。
【課題を解決するための手段】
【０００５】本発明は、器具本体に、指押し式で取外しができる伸縮・復元可能な蛇腹筒と、内部の空気室に吸気・排気逆止弁が形成され、吸気ノズルが付属接合された構成で、蛇腹筒を指で押し伸縮作動をすることで吸気・排気逆止弁が連動し、ジッパー付袋等に挿入した吸気ノズルから袋内の余分な空気を抜取ることができる。【０００６】前記の吸気ノズルは、ジッパー付袋等の隙間からの空気漏れ少なくするため楕円形に、又、吸気ノズルのスライド溝に沿って移動するスライドクリップに、先細スリットの切込みを入れることでジッパー付袋等の上からの挟みこみができ、又、ジッパー付袋等の上からでも押さえやすい磁気クリップを共に付属さることで、空気漏れ防止が可能になった。又、磁気クリップを収納するポケットを器具本体に排気口を兼ねて形成した。
【発明の効果】
【０００７】本発明により、蛇腹筒を指で押すだけの操作で、ジッパー付袋等の袋内から余分な空気を抜取ることができ、誤って液体を吸込んでも取外し掃除ができる。又、スライドクリップと磁気クリップにより、ジッパー付袋等の挟みこみと押えによって作業中の空気漏れを防ぐことができ、手軽な簡単操作で、デザイン的にも優れたものになった。
【発明を実施するための最良の形態】
【０００８】図１〜６は、手動空気抜き器の断面図・正面図・平面図であり、器具本体１に、ポンプ部分である指押し式で取外しができる伸縮・復元可能な蛇腹筒２と、内部の空気室１０に吸気逆止弁８と排気逆止弁９が形成され、連動して作動部分を構成し、又、付属接合された楕円形に成形した吸気ノズル３の吸気口４から、ジッパー付袋１５等の袋内の余分な空気を抜取る構造である。【０００９】一方、器具本体１に付属された、吸気ノズル３に凹形に成形したスライド溝１４に沿って移動する、先細スリットの切込み入りスライドクリップ６と、器具本体１に排気口５を兼ねて形成されたポケット１１に収納される磁気クリップ７は、ジッパー付袋１５等の挟みこみと押えにより、空気抜き作業中の隙間からの空気漏れを防ぐことができる。又、器具本体１には、指留１２とフック掛１３が形成されている。【００１０】本発明の手動空気抜き器の形状や大きさは任意で、材料はプラスチック等の通常のものでよく、吸気ノズル３とスライドクリップ６及び、磁気クリップ７は金属系でもよい。
【図面の簡単な説明】
【００１１】
【図１】手動空気抜き器の断面図である。
【図２】手動空気抜き器のＡ−Ａ線に沿った断面図である。
【図３】手動空気抜き器の正面図である。
【図４】手動空気抜き器の平面図である。
【図５】磁気クリップの断面図である。
【図６】手動空気抜き器の使用中の平面図である。
【符号の説明】
【００１２】１  器具本体
２  蛇腹筒
３  吸気ノズル
４  吸気口
５  排気口
６  スライドクリップ
７  磁気クリップ
８  吸気逆止弁
９  排気逆止弁
１０  空気室
１１  ポケット
１２  指留
１３  フック掛
１４  スライド溝
１５  ジッパー付袋
【図１】
2008094489.tif 000003
【図２】
2008094489.tif 000004
【図３】
2008094489.tif 000005
【図４】
2008094489.tif 000006
【図５】
2008094489.tif 000007
【図６】
2008094489.tif 000008